(57)【要約】【課題】  広告宣伝する文字、図形、記号、絵柄等からなる印刷画像表示部を曲面となる部分に表示し、販売促進効果を高め、更に、簡単な構造であって、安いコストにより広告宣伝する印刷画像表示部を曲面に表示できるようにした広告宣伝媒体を提案する。【解決手段】  適宜な外形形状を有する一枚のシートに、該シートを横幅方向に角度折りするための縦折目線が設けられてなる広告宣伝媒体であって、前記シートを前記縦折目線から山折りして該シート同士を重ね合わせることで、上側となる上側シート片と、下側となる下側シート片とした際に、前記下側シート片の所定位置に、前記上側シート片の横幅方向の外側端部にある差込用片を差し込むための切り込みが形成され、前記切り込みの形成位置が、前記上側シート片の横幅方向の前記差込用片を差し込むことで、前記上側シート片が、前記下側シート片の表面上から起伏して曲面状態となる位置に設けられている。【選択図】        図５
0003119271.tif 000002
【実用新案登録請求の範囲】
【請求項１】
適宜な外形形状を有する一枚のシートに、該シートを横幅方向に角度折りするための縦折目線が設けられてなる広告宣伝媒体であって、
前記シートを前記縦折目線から山折りして該シート同士を重ね合わせることで、上側となる上側シート片と、下側となる下側シート片とした際に、前記下側シート片の所定位置に、前記上側シート片の横幅方向の外側端部にある差込用片を差し込むための切り込みが形成され、前記切り込みの形成位置が、前記上側シート片の横幅方向の前記差込用片を差し込むことで、前記上側シート片が、前記下側シート片の表面上から起伏して曲面状態となる位置に設けられていることを特徴とする広告宣伝媒体。
【請求項２】
前記切り込みが、前記下側シート片において、前記縦折目線から前記上側シート片の横幅寸法よりも短い寸法を有する横幅方向の位置に形成されていることを特徴とする請求項１記載の広告宣伝媒体。
【請求項３】
前記上側シート片の差込用片を前記下側シート片の切り込みに差し込んで組み立てた際に、前記上側シート片の裏面となる部分に、前記広告宣伝媒体をシート状態から立体に組み立てる方法を示す印刷が施されていることを特徴とする請求項１又は請求項２に記載の広告宣伝媒体。
【請求項４】
前記上側シート片の差込用片を前記下側シート片の切り込みに差し込んで組み立てた際に、前記上側シート片の表面となる部分と、前記下側シート片の表面となる部分とに、商品を広告宣伝する文字、図形、記号、絵柄等からなる印刷画像表示部が設けられていることを特徴とする請求項１乃至請求項３に記載の広告宣伝媒体。
【考案の詳細な説明】
【技術分野】
【０００１】
本考案は、店頭の商品陳列棚などに陳列して販売する商品の広告宣伝を行うために、販売促進を行う商品と共に店頭に展示する広告宣伝媒体に関する。
【背景技術】
【０００２】
従来、小売店の店頭などにおいて、商品陳列棚などに陳列させた商品を来店する顧客にできるだけ多く販売するために、様々な広告宣伝が行われている。
例えば、特定の商品の存在をできるだけ多くの顧客に知ってもらうために、商品を広告宣伝する文字、図形、記号、絵柄等からなる印刷画像表示を施した広告宣伝媒体を商品の近くに置いて、商品の広告宣伝を行い、来店する顧客の注目を引くようにすることが行われている。
このような広告宣伝媒体としては、例えばＰＯＰ（Ｐｏｉｎｔ  ｏｆ  Ｐｕｒｃｈａｓｅ）と呼ばれる技法で描かれた種々の形態からなる表示板などがある。
このようなＰＯＰディスプレイは、店頭に来た顧客がそれらの表示を見ることで、広告宣伝する特定の商品について、短時間で来店した顧客の関心を引き付けて購買意欲を高めるよう様々な工夫が施されている。
【０００３】
このようなＰＯＰディスプレイなどの広告宣伝媒体を商品と共に展示させることで、店頭に来た顧客に対して、短時間で店頭にどのような商品が陳列されているのかといった情報を提示することができ、更に、広告宣伝の内容によってそれらの商品に対する興味を顧客に抱かせる可能性を有しており、単に商品だけを陳列させる場合よりも販売促進効果が期待できるという利点がある。
【０００４】
上記のことからも、従来、商品と共に展示する広告宣伝媒体として種々の形体からなるものが提案され、公知となっている。（例えば、特許文献１乃至４参照）
しかしながら、従来の広告宣伝媒体は、広告宣伝する文字、図形、記号、絵柄等からなる印刷画像表示が平面に表示されているので、店頭に来る顧客がそれらの広告宣伝媒体に対して正面側に位置しない場合には、それらの広告宣伝に気づかなかったり、また、広告宣伝の内容が斜め方向から見えにくいという問題がある。
このようなことから、広告宣伝媒体に表示された広告宣伝の内容を、店頭の広範囲にいる顧客から見えやすくするために、広告宣伝する文字、図形、記号、絵柄等からなる印刷画像表示を曲面状にすることも考えられるが、広告宣伝媒体が複雑な構造となったり、コストもかかるなどの問題もあり、大量に生産して多くの店頭で使用するため、比較的に安価な商品の広告宣伝には簡単に使用できにくいという問題がある。
【０００５】
【特許文献１】特開平１１−１４３３６２号公報
【特許文献２】登録実用新案第２５７７２８８号公報
【特許文献３】登録実用新案第３０８８６６１号公報
【特許文献４】登録実用新案第３０９３０１０号公報
【考案の開示】
【考案が解決しようとする課題】
【０００６】
そこで、本考案は、広告宣伝する文字、図形、記号、絵柄等からなる印刷画像表示部を曲面となる部分に表示することで、店頭に来た顧客に対してできるだけ広範囲な場所からも見ることを可能にして、販売促進効果を高めることができ、更に、簡単な構造であって、比較的に安いコストにより製造できる、広告宣伝する印刷画像表示部を曲面に表示できるようにした広告宣伝媒体を提案する。
【課題を解決するための手段】
【０００７】
上記問題を解決するために、本考案の広告宣伝媒体は、適宜な外形形状を有する一枚のシートに、該シートを横幅方向に角度折りするための縦折目線が設けられてなる広告宣伝媒体であって、前記シートを前記縦折目線から山折りして該シート同士を重ね合わせることで、上側となる上側シート片と、下側となる下側シート片とした際に、前記下側シート片の所定位置に、前記上側シート片の横幅方向の外側端部にある差込用片を差し込むための切り込みが形成され、前記切り込みの形成位置が、前記上側シート片の横幅方向の前記差込用片を差し込むことで、前記上側シート片が、前記下側シート片の表面上から起伏して曲面状態となる位置に設けられていることを特徴とする。
【０００８】
また、本考案の広告宣伝媒体は、前記切り込みが、前記下側シート片において、前記縦折目線から前記上側シート片の横幅寸法よりも短い寸法を有する横幅方向の位置に形成されていることを特徴とする。
【０００９】
更に、本考案の広告宣伝媒体は、前記上側シート片の差込用片を前記下側シート片の切り込みに差し込んで組み立てた際に、前記上側シート片の裏面となる部分に、前記広告宣伝媒体をシート状態から立体に組み立てる方法を示す印刷が施されていることを特徴とする。
【００１０】
また、本考案の広告宣伝媒体は、前記上側シート片の差込用片を前記下側シート片の切り込みに差し込んで組み立てた際に、前記上側シート片の表面となる部分と、前記下側シート片の表面となる部分とに、商品を広告宣伝する文字、図形、記号、絵柄等からなる印刷画像表示部が設けられていることを特徴とする。
【考案の効果】
【００１１】
本考案の広告宣伝媒体は、上側シート片の横幅方向の外側端部を差し込むための切り込みの形成位置が、上側シート片の横幅方向の差込用片を差し込むことで、上側シート片が下側シート片の表面上から起伏して曲面状態となる位置に設けられているので、一枚のシートを用いて、曲面となる部分を簡単に形成させることができ、広告宣伝する文字、図形、記号、絵柄等からなる印刷画像表示部をその曲面となる部分に表示することで、店頭に来た広範囲な場所にいる顧客に対しても広告宣伝を行うことができるという効果があり、更に、簡単な構造で、従来よりも安いコストにより広告宣伝効果が期待できる広告宣伝媒体を提供できるという効果がある。
【００１２】
また、本考案の広告宣伝媒体は、下側シート片に形成した切り込みが、下側シート片において、縦折目線から上側シート片の横幅寸法よりも短い寸法を有する横幅方向の位置に形成されているので、上側シート片の端部を切り込みに挟み込むことで、簡単に曲面を形成させることができ、曲面となる部分に広告宣伝する文字、図形、記号、絵柄等からなる印刷画像表示部を設けることで、簡単に広告宣伝効果が期待できる広告宣伝媒体を提供できるという効果がある。
【００１３】
更に、本考案の広告宣伝媒体は、上側シート片に、広告宣伝媒体をシート状態から立体に組み立てる方法を示す印刷が施されているので、利用者がこの組み立てる方法を見ることで、広告宣伝する文字、図形、記号、絵柄等からなる印刷画像表示部が曲面に表示された立体状の広告宣伝媒体を作成することができるという効果がある。
【００１４】
また、本考案の広告宣伝媒体は、組み立てた際に、上側シート片の表面となる部分と、下側シート片の表面となる部分とに、商品を広告宣伝する文字、図形、記号、絵柄等からなる印刷画像表示部が設けられているので、組み立てられた広告宣伝媒体の正面にいる顧客には、上側シート片と下側シート片との表面に表示されている広告宣伝の内容を同時に見ることができ、また、組み立てられた広告宣伝媒体に対して斜め方向にいる顧客に対しても、上側シート片の表面に表示されている広告宣伝の内容が見られるので、平面だけの広告宣伝媒体に比べて高い広告宣伝効果が期待できるという効果がある。
【考案を実施するための最良の形態】
【００１５】
以下、本考案の実施形態に係る広告宣伝媒体について、図面に基づいて詳細に説明する。
図１は、本考案の実施形態に係る広告宣伝媒体の平面図、図２は、図１のＡ−Ａ線断面図、図３は、図２に示す断面図に基づいて、本考案の実施形態に係る広告宣伝媒体を組み立てた状態を示す断面図、図４は、本考案の実施形態に係る広告宣伝媒体を組み立てた状態を示す斜視図、図５は、本考案の実施形態に係る広告宣伝媒体の上側シート片と下側シート片とに、商品を広告宣伝する印刷画像を表示させ、組み立てた状態を示した斜視図である。
【００１６】
本考案の実施形態に係る広告宣伝媒体１は、図１に示すように、適宜な外形形状を有する一枚のシート２からなり、そのシート２には、横幅方向に角度折りするための縦折目線３が設けられている。
この縦折目線３には、シート２を縦方向に角度折りしやすいようにミシン目を設けておいたり、また、予めシート２を縦折目線３から予め折り畳んだ状態にしてセットさせるようにしておいてもよい。
シート２の材質としては、紙、プラスチックなど任意のものでよい。
広告宣伝媒体１は、その使用に際して縦折目線３から２つに折り込んで使用するものであり、図１に示すように、シート２を縦折目線３から山折りしてシート同士を重ね合わせた場合に、シート２の縦折目線３から左側の部分が上位となるように折り込むのでその部分を上側シート片４となり、シート２の縦折目線３から右側の部分が下位となるように折り込むので下側シート片５となる。
【００１７】
下側シート片５の所定位置には、上側シート片４の横幅方向の外側端部にある差込用片７を差し込むための切り込み６が形成されている。
上側シート片４の横幅方向における左側の外側端部には、上側シート片４に形成された切り込み６に差し込むための差込用片７が設けられており、図１及び図２に示ようなシート２の平面状態から、図３及び図４に示すように、シート２を縦折目線３から折り畳んで、差込用片７を切り込み６に差し込むことで、上側シート片４が曲面状態となるように組み立てられ、立体として商品と共に店頭の商品陳列棚などに立てて、特定の商品の広告宣伝を行えるようにしてある。
切り込み６は、図１に示すように、所定の幅寸法を有する切り抜き状態となるように形成してもよいし、また、スリット状となるように設けてもよく、いずれにしても、上側シート片４の差込用片７を差し込むことで、上側シート片４を曲面状態となるように組み立てることができれば、この切り込み６をどのような形状に設けてもよい。
【００１８】
下側シート片５に設けられた切り込み６の形成位置は、上側シート片４の差込用片７を下側シート片５の切り込み６に対して差し込むことで、上側シート片４の全体が、下側シート片５の表面上から起伏して曲面状態となるような位置に設けられている。
つまり、下側シート片５に形成した切り込み６は、図１に示すように、少なくとも上側シート片４の横幅寸法Ｌ１よりも、縦折目線３から切り込み６までの横幅寸法Ｌ２の方が短い寸法となる位置に設けられている。
したがって、上側シート片４の横幅寸法Ｌ１に対して、下側シート片５の縦折目線３から切り込み６までの横幅寸法Ｌ２を短く設定するほど、広告宣伝媒体１を組み立てた場合に、上側シート片４により形成される曲面の起伏が高い状態に組み立てることができるようにしてある。
【００１９】
図１に示す場合には、下側シート片５に１つの切り込み６だけを設けているが、位置をかえて複数の切り込みを設けてもよく、その場合には、利用者の判断で上側シート片４の差込用片７を差し込む切り込みを選択することで、上側シート片４により形成される曲面の起伏が高さも調整することができる。
【００２０】
上側シート片４には、広告宣伝媒体１をシート状態から立体に組み立てる方法を示す組立説明８が印刷されていて、利用者がこの組み立てる方法を示す組立説明８を見ることで、誰でも簡単に組み立てられるようにしてある。
この組み立てる方法を示す組立説明８は、下側シート片５に形成した切り込み６に上側シート片４の差込用片７を差し込んだ際に、外側から見えないように上側シート片４の裏側となる部分に印刷してある。
【００２１】
また、本考案の広告宣伝媒体は、組み立てた際に、上側シート片４の表面となる部分と、下側シート片５の表面となる部分とに、商品を広告宣伝する文字、図形、記号、絵柄等からなる印刷画像表示部９ａ，９ｂが設けられている。
この印刷画像表示部９ａ，９ｂには、広告宣伝媒体１を用いて広告宣伝する目的の商品及びその説明などが種々のデザインにより表示されている。
【００２２】
図５には、本考案の広告宣伝媒体１を利用して、パンダに関するまんがの本の広告宣伝を行う場合の事例が示されている。
上側シート片４の表面には、店頭に来る顧客の関心を引くために、パンダのイメージ画像などが大きめに印刷表示されており、また、下側シート片５の表面にも、商品であるマンガ本の画像や商品に関する情報が文字、図形、記号、絵柄等として印刷され表示されている。
シート２を縦折目線３から山折りして、下側シート片５の切り込み６に対して上側シート片４の差込用片７を差し込むことで、上側シート片４の全体が下側シート片５上から起伏することで、上側シート片４の表面に印刷表示されているパンダのイメージ画像などが、それを見る顧客に強い印象を与えることができるように工夫されている。
【００２３】
特に、本考案の広告宣伝媒体１は、従来の平面に印刷表示したイメージ画像に対して、イメージ画像を曲面状態で顧客に見せることができるので、見る者にイメージ画像を三次元的な感覚を与えることができ、より顧客の関心を引き付けて広告宣伝する商品に関心を持たせるようにすることができる。
パンダのイメージ画像などが大きめに表示されている上側シート片４は、曲面状態となっているので、正面だけでなく、広い範囲の位置からも見ることが出来るので、店頭にきた顧客の関心を引き付けることが期待できる。
【図面の簡単な説明】
【００２４】
【図１】本考案の実施形態に係る広告宣伝媒体の平面図である。
【図２】図１のＡ−Ａ線断面図である。
【図３】図２に示す断面図に基づいて、本考案の実施形態に係る広告宣伝媒体を組み立てた状態を示す断面図である。
【図４】本考案の実施形態に係る広告宣伝媒体を組み立てた状態を示す斜視図である。
【図５】本考案の実施形態に係る広告宣伝媒体の上側シート片と下側シート片とに、商品を広告宣伝する印刷画像を表示させ、組み立てた状態を示した斜視図である。
【符号の説明】
【００２５】
１  広告宣伝媒体
２  シート
３  縦折目線
４  上側シート片
５  下側シート片
６  切り込み
７  差込用片
８  組立説明
９ａ，９ｂ  印刷画像表示部
【図１】
0003119271.tif 000003
【図２】
0003119271.tif 000004
【図３】
0003119271.tif 000005
【図４】
0003119271.tif 000006
【図５】
0003119271.tif 000007